(57)【要約】【課題】リストバンドを装着するリストバンド使用者によって装着時のリストバンドの視認可能な面積が変化する場合にも必要な情報が隠れて見えなくなることがないようにする。【解決手段】リストバンド使用者に対するリストバンドの装着時に、リストバンドを環状に丸めて留め具で留めたとき隠れてしまう部分が生じることのないように、表示内容の一部（例えば記録要素８０２〜８０４）を長手方向において縮小し（ｂ）、あるいは、記録要素８０２〜８０４を例えば記録要素８１２〜８１４のように配置換えを行う（ｃ）。【選択図】図１１
2009256843.tif 000002
【特許請求の範囲】
【請求項１】
装着サイズを調節可能なリストバンドに視認可能な情報を記録データに基づいて記録するリストバンド記録システムにおいて、
リストバンドを装着する者の使用者情報を取得する使用者情報取得手段と、
前記使用者情報に基づいてリストバンドへの記録範囲を決定する記録範囲決定手段と、
前記記録範囲決定手段にて決定した記録範囲に従い、前記記録データを変更する記録データ変更手段と
を備えたことを特徴とするリストバンド記録システム。
【請求項２】
前記記録データはリストバンドを装着する者毎に用意されたデータを含む請求項１に記載のリストバンド記録システム。
【請求項３】
前記リストバンドはリストバンド装着サイズ調節用の複数の留め位置を有し、前記使用者情報は、リストバンド装着サイズ調節用の複数の留め位置の中で、当該使用者が使用する留め位置の位置情報を含むことを特徴とする請求項１に記載のリストバンド記録システム。
【請求項４】
前記使用者情報はリストバンドを装着する者の身体情報を含み、前記記録範囲決定手段は任意の身体情報を対応する留め位置の位置情報に変換する変換手段を備えたことを特徴とする請求項３に記載のリストバンド記録システム。
【請求項５】
前記使用者情報は、リストバンドを装着する者のリストバンド装着部位のサイズ情報を含むことを特徴とする請求項１に記載のリストバンド記録システム。
【請求項６】
前記使用者情報取得手段はユーザへ情報の入力要求を行う手段を有する請求項１〜５のいずれかに記載のリストバンド記録システム。
【請求項７】
前記記録データ変更手段は、（１）前記記録範囲決定手段により決定した記録範囲内にすべての記録データが収まるように元記録データの記録要素の配置を変更する、（２）記録範囲内にすべての記録データが収まるように元の記録データの記録要素を縮小する、のうちの少なくとも一つを含むことを特徴とする請求項１に記載のリストバンド記録システム。
【請求項８】
装着サイズを調節可能なリストバンドに視認可能な情報を記録データに基づいて記録するリストバンド記録システムにおいて用いられるリストバンド記録プログラムであって、
リストバンドを装着する者の使用者情報を取得するステップと、
前記使用者情報に基づいてリストバンドへの記録範囲を決定するステップと、
前記記録範囲決定手段にて決定した記録範囲に従い、前記記録データを変更するステップと
をコンピュータに実行させることを特徴とするリストバンド記録プログラム。
【発明の詳細な説明】
【技術分野】
【０００１】
本発明は、リストバンドに記録を行うリストバンド記録システムおよびリストバンド記録プログラムに関する。
【背景技術】
【０００２】
一般的なリストバンドは、帯状の記録媒体の一端側から順に、留め穴部、情報を記録する記録領域、巻きつけ径の調節が可能な複数の調節用留め穴部の３つの領域から構成されている。
【０００３】
従来、このようなリストバンドへの記録は、記録領域へ文字を含む一般情報を記録するほかに、特許文献１や２に示されているような調節用留め穴部に識別用のカラー表示情報を記録するものが知られている（特許文献１、２参照）。
【特許文献１】特開２００６−５８８０５号公報
【特許文献２】特開２００７−５６４０６号公報
【発明の開示】
【発明が解決しようとする課題】
【０００４】
しかしながら、特許文献１や２に記載された手法では、場合によってカラー識別情報が視認し難い、又は視認できないという問題があった。すなわち、リストバンド使用者の手首のサイズは個人個人で異なっており、使用する留め穴部の位置も当然異なってくる。そのため、手首が細い者にリストバンドを装着すると、記録された情報がリストバンドの重なり合った部分の下に隠れてしまい、視認できなくなる場合があった。
【０００５】
本発明はこのような背景においてなされたものであり、その目的は、リストバンドを装着するリストバンド使用者によって装着時のリストバンドの視認可能な面積が変化する場合にも必要な情報が隠れて見えなくなることがないようにすることができるリストバンド記録システムおよびリストバンド記録プログラムを提供することにある。
【課題を解決するための手段】
【０００６】
本発明によるリストバンド記録システムは、装着サイズを調節可能なリストバンドに視認可能な情報を記録データに基づいて記録するリストバンド記録システムにおいて、リストバンドを装着する者の使用者情報を取得する使用者情報取得手段と、前記使用者情報に基づいてリストバンドへの記録範囲を決定する記録範囲決定手段と、前記記録範囲決定手段にて決定した記録範囲に従い、前記記録データを変更する記録データ変更手段とを備えたことを特徴とする。
【０００７】
リストバンドを装着する者毎にリストバンドの装着サイズは異なるのに対して、個々の使用者情報を取得して、この使用者情報に基づいてリストバンドへの記録範囲を決定することにより、装着サイズが異なっても必要な記録情報が隠れることが防止される。
【０００８】
前記リストバンドはリストバンド装着サイズ調節用の複数の留め位置を有する場合、前記使用者情報は、リストバンド装着サイズ調節用の複数の留め位置の中で、当該使用者が使用する留め位置の位置情報を含む。
【０００９】
前記使用者情報はリストバンドを装着する者の身体情報を含んでもよく、この場合、前記記録範囲決定手段は任意の身体情報を対応する留め位置の位置情報に変換する変換手段を備える。
【００１０】
前記使用者情報は、リストバンドを装着する者のリストバンド装着部位のサイズ情報を含んでもよい。
【００１１】
前記記録データ変更手段は、（１）前記記録範囲決定手段により決定した記録範囲内にすべての記録データが収まるように元記録データの記録要素の配置を変更する、（２）記録範囲内にすべての記録データが収まるように元の記録データの記録要素を縮小する、のうちの少なくとも一つを含むことができる。
【００１２】
本発明によるリストバンド記録プログラムは、装着サイズを調節可能なリストバンドに視認可能な情報を記録データに基づいて記録するリストバンド記録システムにおいて用いられるリストバンド記録プログラムであって、リストバンドを装着する者の使用者情報を取得するステップと、前記使用者情報に基づいてリストバンドへの記録範囲を決定するステップと、前記記録範囲決定手段にて決定した記録範囲に従い、前記記録データを変更するステップとをコンピュータに実行させることを特徴とする。
【００１３】
本発明のさらに他の構成および作用効果については以下に説明する。
【発明の効果】
【００１４】
上記構成によれば、リストバンド装着部位のサイズに応じたリストバンド記録が実行されるので、無駄な記録材（インク、リボン）の消費がなくなる。また、視認可能な範囲に必要な識別情報を記録することにより、例えば医療用の用途では、医療事故防止を図ることができる。
【発明を実施するための最良の形態】
【００１５】
以下、図面を参照して本発明の実施の形態について詳細に説明する。尚、以下の実施の形態に記載されている構成要素はあくまで例示であり、本発明はその具体的な構成や手順に限定されるものではない。
【００１６】
［第１実施の形態］
図１は、第１の実施の形態に係るリストバンド記録システムの概略構成を示す図である。
【００１７】
ホストコンピュータ（ホストＰＣ）１１１と、リストバンドの記録（印刷）を行うリストバンド記録装置１１０とはインタフェースケーブル１１２を介して接続されており、相互の間で記録データおよび各種コマンドの転送やステータスの通信が可能である。ホストコンピュータ１１１は、リストバンド使用者情報データベース２０１を保持する記憶部１２３と、リストバンド記録データ生成部１２１と、本発明に係るリストバンド記録データ処理部１２２とを備える。
【００１８】
リストバンド記録データ生成部１２１は、リストバンド使用者情報データベース２０１から取得したリストバンド使用者情報を基にリストバンド記録データを生成する。リストバンド記録データ処理部１２２は、リストバンド使用者情報データベース２０１から取得したリストバンド使用者情報を基に、リストバンド記録データ生成部１２１で生成した記録データを変更する。変更された記録データは、ＵＳＢケーブルなどのインタフェースケーブル１１２を介してリストバンド記録装置１１０へ転送され、記録される。リストバンド記録データ処理部１２２の内部構成および詳細動作については、後述する。
【００１９】
図２は、本実施の形態における、ホストコンピュータに接続したリストバンド記録装置１１０の概略構成を示した図である。
【００２０】
本実施の形態におけるリストバンド記録装置１１０は、帯状の記録媒体の幅全体に渡っておのおの複数のノズルを配列した複数の記録ヘッド、ここでは、ブラック記録ヘッド１１３、シアン記録ヘッド１１４、マゼンタ記録ヘッド１１５、イエロー記録ヘッド１１６を搭載し、フルカラーで画像を形成することができる。記録媒体は、特に限定するものではなく、例えば、紙、不織布やフェルト等を利用しうる。記録装置本体上部にはリストバンドロール１１７が搭載され、いくつかの経路を通って本体記録部に未記録のリストバンドが給紙される。リストバンドロール１１７は、記録動作後のリストバンドを１枚ずつ分離しやすいように個々のリストバンド対応のページの境界部にミシン目が入っている。また、ページの境界部を記録装置が認識できるようにリストバンドロール１１７の記録面とは反対側の面に予めページ間マークが入っている。給紙部に搭載されるページ間マーク検知センサ１１８によりリストバンドのマーク検知をトリガにして、各記録ヘッドによりリストバンドに順次記録を行う。記録済みのリストバンドは排紙トレイ１１９上に出力される。記録前のリストバンドはこのようにロール状に連なっている必要はなく、個々に独立したものであってもよい。
【００２１】
図３を用いて、本実施の形態におけるリストバンド記録装置１１０のハードウェア構成を説明する。
【００２２】
ホストコンピュータ１１１から制御系３０１に送信された記録データやコマンドは、ＵＳＢコントローラ３０２を介してＣＰＵ３０３に受信される。ＣＰＵ３０３は、記録装置における記録データの受信、記録動作等、全般の制御を掌る演算処理装置である。ＣＰＵ３０３では、受信したコマンドを解析した後に、記録データの各色成分のイメージデータをイメージメモリ３０４にビットマップ展開して描画する。イメージメモリ３０４は画像展開部として使用される。記録前の動作処理としては、ＣＰＵ３０３はＡＳＩＣ（制御回路）３２２およびドライバ３０５を介して各種センサ３０６をモニタしながら、各種モータ３０７を駆動し、各記録ヘッド３０８（図２の記録ヘッド１１３〜１１６に対応）を記録位置に移動させる。
【００２３】
続いて、記録媒体の検出に同期して、ＣＰＵ３０３はＡＳＩＣ３２２を介してイメージメモリ３０４から対応する色の記録データを順次に読み出し、この読み出したデータを各記録ヘッド３０８に転送する。
【００２４】
ＣＰＵ３０３の動作はＲＯＭ３０９に記憶された処理プログラムに基づいて実行される。ＲＯＭ３０９には、制御フローに対応する処理プログラム及び各種データテーブルなどが記憶されている。また、作業用のメモリとしてＲＡＭ３１０を使用する。各記録ヘッド３０８のクリーニングや回復動作時に、ＣＰＵ３０３は、ＡＳＩＣ３２２およびドライバ３０５を介して各種センサ３０６をモニタしながら、各種モータ３０７を駆動し、インクの加圧や吸引等の制御を行う。
【００２５】
記録やクリーニングで使用するインクは、各色のインクタンク３１１から供給される。各色のインクタンク３１１には、ＥＥＰＲＯＭ３１２が搭載されており、インクの色や種類を示すＩＤやシリアルナンバーが書込まれている他、残量検知用の使用量カウンタなどが保持できるようになっている。
【００２６】
制御系３０１には、ユーザが指示や情報を入力する操作部、および制御系３０１が表示情報を表示するＬＣＤなどの表示部を備えた操作パネル３２１が接続される。
【００２７】
図４に、装着サイズを調節可能なリストバンド４００の構成例を示す。この図に、使用する穴と記録範囲の関係を示している。
【００２８】
従来技術で説明したと同様、リストバンドは、帯状の記録媒体の一端側から順に、留め穴部４０４およびその周辺の第１の領域と、文字情報を記録する文字情報記録部４０３の第２の領域と、巻きつけ径（装着サイズ）の調節を可能とする複数の留め穴部４１１ａ〜４１１ｌからなるリストバンド装着サイズ調節用留め穴部領域４０２の第３の領域とを含む３つの領域から構成されている。記録範囲４１２は、留め穴部４０４の第１の領域から文字情報記録部４０３の第２の領域を経て、リストバンド装着サイズ調節用留め穴部領域４０２のうち文字情報記録部側から指定もしくは算出された今回使用する穴部（図の例では４１１ｇ）の内側までの間と決定する。
【００２９】
図５は、図４のリストバンド４００を環状に丸めて留め具（図示せず）で留め穴部４０４と他の留め穴部４１１ｇの間を留めた状態を示している。この図から判るように、穴部４１１ｇ以降の各留め穴部およびその周辺部は隠れて見えなくなる。どこから見えなくなるかは「他の留め穴部」がどの留め穴部となるかによって変わる。
【００３０】
図６は、図１内に示したリストバンド使用者情報データベース２０１の内容例を示す。このデータベースは、リストバンド使用者すなわちリストバンドを装着する者毎に、リストバンドへ表示する情報群２１１と、リストバンド装着サイズ推測情報群２１２とを読み出し可能に格納する。リストバンドへ表示する情報群２１１は、リストバンド使用者の氏名（姓と名）、年齢、性別、住所などの個人情報を含む。リストバンド装着サイズ推測情報群２１２は、身体情報(身長と体重)、リストバンドを実際巻きつけた際に使用した装着サイズ調節用の穴の位置（すなわち留め位置）、手首径（手首の太さ）、など、当該リストバンド使用者のリストバンド装着サイズを推測するための情報を含む。
【００３１】
リストバンドへ表示する情報群２１１は前記リストバンド記録データ生成部１２１において記録データを生成する際に使用される。リストバンド装着サイズ推測情報群２１２は前記リストバンド記録データ変更処理部１２２において記録データを変更する際に使用される。
【００３２】
なお、本データベースに含まれる個々の情報は前記二つの情報群のどちらかに必ず分類されなくてはならないということではない。すなわち、両方の情報群に含まれてもよいし(リストバンドに表示されるとともに、装着サイズ推測にも使われるもの：身長や体重など)、どちらにも含まれなくてもよい(リストバンドに表示されず、径の推測にも使われないもの：住所など)。
【００３３】
図７に、本実施の形態に係るリストバンド記録データ処理部１２２の構成例を示す。
【００３４】
リストバンド記録データ処理部１２２は、リストバンド使用者情報受信部（使用者情報取得手段）７０１と、リストバンド記録範囲決定部（記録範囲決定手段）７０２と、記録データ変更部（記録データ変更手段）７０３とからなる。本実施の形態における記録データはリストバンドを装着する者毎に用意されたデータを含む。但し、本発明における「記録データ変更」はデータの内容を変更するものではなく、そのサイズや配置位置などの形式的なデータを変更するものである。
【００３５】
リストバンド使用者情報受信部７０１は、ホストコンピュータ１１１内の記憶部１２３より、リストバンド使用者情報データベース２０１からリストバンド使用者情報７１１を受信し、それに含まれるリストバンド装着サイズ推測情報２１２の中から、後述の優先順位に従い１つの装着サイズ推測情報を取得する。リストバンド記録範囲決定部７０２はこの取得された装着サイズ推測情報に基づいてリストバンド記録範囲を決定する。記録データ変更部７０３は決定されたリストバンド決定範囲に基づき、必要に応じてリストバンド記録データ７１２の内容を変更する。
【００３６】
装着サイズ推測情報の優先順位は、たとえば実際に運用した際の精度が高くなるような順に付与する。具体的には、従来使用していた「穴の位置」(実物は穴同士で留めるため)、「手首径」(実測値であるため)、次いで「身長および体重」(推測値のため)という順で優先順位をつける。
【００３７】
次に、本実施の形態におけるリストバンド記録データ処理部１２２の動作について具体的に説明する。
【００３８】
図８はリストバンド使用者情報受信部７０１における、上記優先順位の例を踏まえたリストバンド使用者情報受信処理を表したフローチャートを示す。この処理はホストコンピュータ１１１内のＣＰＵ（図示せず）がその記憶装置内のプログラムを読み出して実行することにより実現される。
【００３９】
リストバンド使用者情報受信処理では、まず、装着サイズ推測情報のうち使用していた穴位置情報の有無を確認する（Ｓ１１）。穴位置情報があったときは、その情報を取得し（Ｓ１２）、情報取得を完了する。穴位置情報が無かったときは、次に優先順位の高い手首径情報の有無を確認する（Ｓ１３）。手首、足首情報が存在したときは、その情報を取得し（Ｓ１４）、情報取得を完了する。
【００４０】
上記二つの情報とも存在しない場合は、身体情報の有無を確認する（Ｓ１５）。身体情報が存在したときは、その情報を取得し（Ｓ１６）、情報取得を完了する。
【００４１】
いずれの装着サイズ推測情報も存在しなかったとき、本システムはユーザ（ここではリストバンド提供者）へ情報の入力要求を行う（Ｓ１７）。ユーザは医療用リストバンドの場合には使用者（患者）自身ではなく医者などの医療関係者である。リストバンドが何らかのチケットの場合にはチケット販売者等である。ステップＳ１７に続いて、ユーザが情報を入力したか確認し（Ｓ１８）、入力がされていたらその情報を取得し（Ｓ１９）、情報取得を完了する。もしユーザが情報入力要求を拒否した場合は、以降の記録データ変更などは行わず、従来の通常の記録シーケンスでリストバンドを出力する（Ｓ１０）。
【００４２】
以上のリストバンド使用者情報受信処理に従うと、リストバンド装着サイズ推測情報群２１２から装着サイズ推測情報を取得するときは、次のような結果となる。
【００４３】
データベース内の１番目の使用者「佐藤俊夫」が選択された際は「リストバンド穴位置」のデータが存在するので、その穴位置情報を取得する。２番目の使用者「睦吾郎」が選択されたときは、「リストバンド穴位置」のデータが無いが、「手首径」のデータが存在するので、その情報を取得する。５番目の使用者「増野陸」が選択されたときは、「リストバンド穴位置」のデータも「手首径」のデータも存在しないが、「身長」および「体重」のデータが存在するのでこれらのデータを用いる。６番目の使用者「林七海」が選択されたときは、いずれの装着サイズ推測情報も存在しないので、ユーザへ情報入力を要求し、ユーザから装着サイズ推測情報を取得する。なお、取得したリストバンド使用者のリストバンド装着サイズ推測情報はその種類によって単位が違うため、後述するようにリストバンド記録範囲決定部７０２において「使用する装着サイズ調節用穴の位置」に換算して、印刷範囲を決定する。
【００４４】
図９は、リストバンド記録範囲決定部７０２における記録範囲の決定処理を表したフローチャートである。この処理はホストコンピュータ１１１内のＣＰＵ（図示せず）がその記憶装置内のプログラムを読み出して実行することにより実現される。
【００４５】
まず、取得した装着サイズ推測情報が穴位置情報であるか否かを確認し（Ｓ２１）、穴位置情報であった場合は情報をそのまま保持する。取得した情報が穴位置ではなかった場合は、手首径であるかを確認し（Ｓ２２）、そうであった場合は手首径からこの径に見合うリストバンド調節サイズが得られる装着サイズ調節用穴の位置を求める「手首径・穴位置変換」を行う（Ｓ２３）。この手首径・穴位置変換を自動的に行うためには、図示しないが、手首径の範囲を個々の穴位置に対応付けるデータテーブルを用いることができる。取得した情報が手首径情報でなかった場合は、この情報は身体情報であると判断される。そこで、図１０に示すような任意の身体情報を対応するサイズ情報に変換する変換手段として、身長・体重から使用するリストバンドの穴位置を予測するデータテーブル１０００を用いて、適正な穴の位置を求める「身体情報・穴位置変換」を行う（Ｓ２４）。このようにして最終的に求められた穴位置を用いて、記録範囲を決定する（Ｓ２５）。
【００４６】
図１１は、本実施の形態における記録データ変更部７０３による記録データの変更（出力デザインの変更）の様子を示したものである。
【００４７】
リストバンド記録範囲決定部７０２により決定した記録範囲４１２に従い、記録データ変更部７０３は記録データ生成アプリケーションで生成された記録データ７１２を変更する。図１１（ａ）は、従来の手法により記録されたリストバンド記録結果を示す。カラー表示情報８０２が記録範囲４１２の外にあることが確認できる。このとき、記録データ変更部７０３は、記録範囲４１２より外にある表示データを、当該使用者によるリストバンド装着時にもそれらが適正に視認されるように変更する。この記録データ変更は、（１）記録範囲内にすべての記録データが収まるように元記録データの記録要素の配置を変更する、（２）記録範囲内にすべての記録データが収まるように元の記録データの記録要素を縮小する、のうちの少なくとも一つを含む。
【００４８】
図１１（ｂ）は、記録データ変更部７０３により記録要素の配置が変更されたリストバンドの出力結果例を示したものである。図１１（ａ）において少なくとも一部が記録範囲外に存在していたカラー表示情報８０２〜８０４を新たなカラー表示情報８１２〜８１４に配置換えして、全ての必要な表示情報が記録範囲４１２に収まるようにするとともに、記録範囲４１２より外には何も記録していないことが分かる。
【００４９】
図１１（ｃ）は、記録データ変更部７０３により記録要素の一部（カラー表示情報）が縮小されたリストバンドの出力結果例を示したものである。図１１（ａ）においては表示情報の一部が記録範囲外に存在していたが、カラー表示情報８０２〜８０４がカラー表示情報８２２〜８２４の如く長手方向において縮小して、全ての必要な表示情報が記録範囲４１２に収まるようにするとともに、記録範囲４１２より外には何も記録していないことが分かる。
【００５０】
なお、図示しないが、図１１（ａ）の記録データのうち、記録範囲外にのみ存在するカラー表示情報（カラー表示情報８０２〜８０４）が存在しないような場合、あるいは、そのようなカラー表示情報が存在してもそれほど重要でない場合、記録範囲外の部分に対しては記録しないようにしてもよい。この場合、リストバンドの装着状態では、そのようなカラー表示情報を記録するしないに関わらず視認できないが、記録しないことによりムダなインク消費を抑止することができる。
【００５１】
［第２実施の形態］
次に、本発明の第２実施の形態について説明する。図１２は、本発明の第２実施の形態におけるリストバンド記録システムの概略を説明する為の図である。第１の実施の形態と同様の要素には同じ参照番号を付して、重複した説明を省略する。
【００５２】
第１の実施の形態では記録データの生成および変更をホストコンピュータ側で行ったが、本実施の形態は所謂フォームオーバレイ機能を利用した例を示しており、記録装置側で記録データの生成および変更を行う。そのために、ホストコンピュータ１１１には、各使用者に共通のリストバンドのフォームを格納するリストバンドフォーム作成部１０３１を設けてフォームデータを作成し、このフォームを記録装置１１０へ送信する。ここで例に挙げたフォームデータは、２値化されたビットマップ形式のデータでもよいし、ページ記述言語で記述されたフォームであってもよい。記録装置１１０では、受信したフォームをリストバンドフォーム記憶部１０３２に格納する。リンスバンド記録前に記録装置１１０は、リストバンド記録データ生成部１０２１により、リストバンドフォーム記憶部１０３２からリストバンドフォームを読み出すとともに、ホストコンピュータ１１１のリストバンド使用者情報データベース２０１から記録対象のリストバンド使用者毎の可変データ（ここでは異なるリストバンド使用者情報）を読み出し、両者を合成して記録データを生成する。この生成された記録データに対して、リストバンド記録データ変更部１０２２により、上述したと同様、リストバンド使用者情報データベース２０１から獲得したリストバンド使用者情報に応じて変更を行う。
【００５３】
その他の詳細な構成や機能は、第１の実施の形態で説明した通りである。
【００５４】
［その他の実施の形態］
第２の実施の形態では、可変データをホストコンピュータ１１１から取得する例を挙げたが、操作パネル３２１からリストバンド使用者情報を順次設定することによって可変データを取得し、フォームデータと可変データを合成した記録データの作成及び記録データの変更を行なうようにしてもよい。この場合の最大のメリットは、ホストコンピュータ無しでリストバンド使用者個々に応じた記録結果が得られることにある。さらに、操作パネルの代わりにキーボードをプリンタに直接つなげば、データ入力をより効率的に行なうことができる。
【００５５】
また、操作パネルやキーボードの代わりにバーコードスキャナを接続し、カルテなどにバーコード化されているリストバンド使用者情報を直接読み込むことにより、入力ミスによる医療事故も防止することもできる。何れにせよ、ホストコンピュータが無くてもリストバンド使用者個々に応じた最適なリストバンドの出力が可能である。また、操作パネルからリストバンド使用者名を入力すると、ネットワーク上で集中管理されているリストバンド使用者のデータベース２０１から該当するリストバンド使用者情報を取得して、第２の実施の形態で説明したように、記録装置で記録データを生成、変更を行うようにしてもよい。
【００５６】
以上、本発明の好適な実施の形態について説明したが、上記で言及した以外にも種々の変形、変更を行うことが可能である。例えば、「留め位置」は穴の位置としたが、必ずしも「穴」である必要はない。また、手首に装着するものについてのみ説明したが、他の部位、例えば足首に装着するものであってもよく、本発明における「リストバンド」はそのようなものも含むものとする。リストバンドは医療用のものについて説明したが、必ずしも医療用に限定するものではない。
【図面の簡単な説明】
【００５７】
【図１】本発明の実施の形態に係るリストバンド記録システムの概略構成を示す図である。
【図２】本発明の実施の形態における、ホストコンピュータに接続したリストバンド記録装置の概略構成を示した図である。
【図３】図２に示したリストバンド記録装置のハードウェア構成を説明する。
【図４】本発明の実施の形態におけるリストバンドの構成例を示した図である。
【図５】図４のリストバンドを環状に丸めて留め具で留め穴部と他の留め穴部の間を留めた状態を示した図である。
【図６】図１内に示したリストバンド使用者情報データベースの内容例を示す図である。
【図７】本発明の実施の形態に係るリストバンド記録データ変更部の構成例を示した図である。
【図８】本発明の実施の形態に係るリストバンド使用者情報受信部におけるリストバンド使用者情報受信処理を表したフローチャートである。
【図９】本発明の実施の形態に係るリストバンド記録範囲決定部における記録範囲の決定処理を表したフローチャートである。
【図１０】本発明の実施の形態に係る身長・体重から使用するリストバンドの穴位置を予測するデータテーブルの構成例を示した図である。
【図１１】本発明の実施の形態における記録データ変更部による記録データの変更（出力デザインの変更）の様子を示した図である。
【図１２】本発明の第２実施の形態におけるリストバンド記録システムの概略を説明する為の図である。
【符号の説明】
【００５８】
１１０…リストバンド記録装置、１１１…ホストコンピュータ、１１２…インタフェースケーブル、１１３…ブラック記録ヘッド、１１４…シアン記録ヘッド、１１５…マゼンタ記録ヘッド、１１６…イエロー記録ヘッド、１１７…リストバンドロール、１１８…ページ間マーク検知センサ、１１９…排紙トレイ、１２１…リストバンド記録データ生成部、１２２…リストバンド記録データ変更部、１２３…記憶部、２０１…リストバンド使用者情報データベース、２１１…リストバンドへ表示する情報群、２１２…リストバンド装着サイズ推測情報群、３０１…制御系、３０２…ＵＳＢコントローラ、３０４…イメージメモリ、３０５…ドライバ、３０６…各種センサ、３０７…各種モータ、３０８…各記録ヘッド、３１１…インクタンク、３２１…操作パネル、４００…リストバンド、４０２…穴部領域、４０３…文字情報記録部、４０４…穴部、４１１ａ〜４１１ｌ…穴部、４１２…記録範囲、７０１…リストバンド使用者情報受信部、７０２…リストバンド記録範囲決定部、７０３…記録データ変更部、７１１…リストバンド使用者情報、７１２…リストバンド記録データ、８０２〜８０４…カラー表示情報（記録要素）、８１２〜８１４…カラー表示情報（記録要素）、１０００…データテーブル、１０２１…リストバンド記録データ生成部、１０２２…リストバンド記録データ変更部、１０３１…リストバンドフォーム作成部、１０３２…リストバンドフォーム記憶部
【図１】
2009256843.tif 000003
【図２】
2009256843.tif 000004
【図３】
2009256843.tif 000005
【図４】
2009256843.tif 000006
【図５】
2009256843.tif 000007
【図６】
2009256843.tif 000008
【図７】
2009256843.tif 000009
【図８】
2009256843.tif 000010
【図９】
2009256843.tif 000011
【図１０】
2009256843.tif 000012
【図１２】
2009256843.tif 000013
【図１１】
2009256843.tif 000014